【事件の表示】
　平成１０年特許願第１９１２２５号「自動倉庫」拒絶査定不服審判事件〔平成１２年　１月１８日出願公開、特開２０００−　１６５７３〕について、次のとおり審決する。
【結　論】
　本件審判の請求は、成り立たない。
【理　由】
１．手続の経緯・本願発明
　本願は、平成１０年７月７日の出願であって、その請求項１〜４に係る発明は、平成１６年１月２８日付け、平成１６年４月２６日付けの手続補正書によって補正された明細書及び図面の記載からみて、特許請求の範囲の請求項１〜４に記載された事項により特定されるとおりのものと認められるところ、その請求項１に記載された発明（以下、「本願発明１」という。）は次のとおりである。
「物品を載置して搬送方向に移動する搬送帯に、それとともに移動する多数の物品送出具を搬送方向に並べて、かつ、前記搬送帯の横幅方向への各別の横移動が自在に装備し、
　前記搬送帯の移動による物品搬送に伴い、搬送物品毎に、多数の前記物品送出具のうち同一の搬送物品に対応位置する複数個のものを選択して、それら選択した複数個の物品送出具を、それらが搬送方向に直線状に並ぶ相対位置を保った状態で前記搬送帯の横幅方向へ横移動させることにより、搬送物品を所要の搬送位置で前記搬送帯からその搬送方向とは直行する横方向へ送り出す送出操作手段を設けてある搬送装置を用いた自動倉庫であって、
　前記物品送出具を１列状態で搬送方向に並べて前記搬送帯に装備し、
　前記送出操作手段を、搬送物品毎に、
　同一の搬送物品に対応位置する複数個の前記物品送出具を前記搬送帯の横幅方向における一端部から他端部へ横移動させて、搬送物品を前記搬送帯の横幅方向における他端側へ送り出す他端側送出操作と、
　逆に同一の搬送物品に対応位置する複数個の前記物品送出具を前記搬送帯の横幅方向における他端部から一端部へ横移動させて、搬送物品を前記搬送帯の横幅方向における一端側へ送り出す一端側送出操作とを択一的に行う構成にし、
　前記送出操作手段を、前記搬送帯の移動経路途中に設けたガイドによる案内で前記物品送出具をその搬送方向への移動に伴い前記搬送帯の横幅方向へ横移動させる構成にし、
　前記一端側送出操作により前記搬送帯から送り出される物品を受け取る一端側の物品受取手段と、前記他端側送出操作により前記搬送帯から送り出される物品を受け取る他端側の物品受取手段とを、前記搬送帯の物品搬送方向で互いに位置をズラせて配置してあり、
　平行姿勢で対向させた２つの物品収納棚どうしの間にそれら物品収納棚に対する物品移載装置の移動経路を設けた棚組を、前記搬送帯の両横側夫々で前記搬送帯の物品搬送方向に並設し、
　前記棚組の各々と前記搬送帯との間の夫々に、前記一端側送出操作又は前記他端側送出操作により前記搬送帯から送り出される物品を受け取って、その受け取り物品を対応する棚組の前記物品移載装置に受け渡す物品受取手段を配置してある搬送装置を用いた自動倉庫。」
　
２．引用例
（１）引用例１
　原査定の拒絶の理由に引用された特開平９−１７５６３６号公報（以下、「引用例１」という。）には、図面とともに、次の事項が記載されている。
　
ア．「【請求項１】　連結された多数のスラット（３２）の移動によって物品（３３）を搬送し、搬送方向に垂直に移動可能に各スラット（３２）に保持された複数のシュー（３６）を各スラットの長手方向の一端から他端まで移動することで物品をスラットの他端側のシュートに仕分ける仕分装置において、
前記シュー（３６）の所定数を一組として各スラットの一端から他端までの移動方向に同期させて案内し、該所定数に対応した数が備えられている第１の分岐用ガイドレール（７６）と、
前記第１の分岐用ガイドレール（７６）と交差し、該第１の分岐用ガイドレール（７６）とは反対方向に前記シュー（３６）の所定数を一組として同期させて案内し、該所定数に対応した数が備えられている第２の分岐用ガイドレール（７８）と、を備え、前記物品を前記スラットの両側のシュート（９４、９６）に選択的に仕分けることを特徴とする仕分装置。」（第２頁１欄２〜１８行）
　
イ．「図１は本発明に係る仕分装置の平面図である。仕分装置３０は、スラット３２を移動するコンベア部３４と、シュー３６を移動する仕分部３８とを備えている。仕分部３８は切換手段５０、分岐用クロスガイドレール部５２及び合流手段５４を備えている。この分岐用クロスガイドレール部５２はこの実施形態の場合、３本のレール７６、７８を一組としており、各３本のレールの組が交差している。そして、切換手段５０及び合流手段５４は各レール７６、７８それぞれに備えられている。」（第２頁２欄４４行〜第３頁３欄３行）
　
ウ．「【００１２】図３及び図４は本発明に係る仕分部の切換手段を示した平面図であり、図３は分岐状態を示し、図４は非分岐状態を示す。仕分部３８の切換手段５０は揺動レール５６、エアシリンダ５８及び光電センサ６０を備えている。揺動レール５６は各レール７６、７８にそれぞれ対応して備えられ、その両側部に案内壁５６ａ、５６ｂを形成して揺動レール５６の中央にレール溝５６ｃを形成している。揺動レール５６は、ピン６２を介して、分岐位置Ｐ１と非分岐位置Ｐ２（図４参照）との間で揺動自在に支持されている。
【００１３】エアシリンダ５８は各揺動レール５６に連結され、エアシリンダ５８を収縮することにより揺動レール５６を分岐位置Ｐ１に位置決めし、エアシリンダ５８を伸張することにより揺動レール５６を非分岐位置Ｐ２に位置決めする。光電センサ６０は左側主ガイドレール６３を移動するシュー３６のベーン７０を検知して、検知信号を制御部（図示せず）に入力する。この制御部は、光電センサ６０が所定数（本実施形態の場合３個）のシュー３６を検知したことを確認した後、各エアシリンダ５８を操作して各揺動レール５６を同時に分岐位置Ｐ１から非分岐位置Ｐ２又はその逆に切り換える。」（第３頁３欄３４行〜同頁４欄４行）
　
エ．「【００２０】以上のように構成された本発明に係る仕分装置の作用を説明する。左側主ガイドレール６３を移動するシュー３６のベーン７０が光電センサ６０を所定個数通過したとき、光電センサ６０からの検知信号に基づいて制御部から駆動信号を出力する。この駆動信号に基づいて各エアシリンダ５８が同時に収縮して、揺動レール５６を非分岐位置Ｐ２（図４参照）から分岐位置Ｐ１（図３参照）に位置決めする。この場合、各揺動レール５６の上流側にシュー３６のベーン７０がそれぞれ位置しているので、各シュー３６のベーン７０はそれぞれの揺動レール５６に案内されて第１の分岐用ガイドレール７６の切換側ベーンガイド８０ａ、８０ｂ、８０ｃに導かれる。
【００２１】これにより、シュー３６のベアリング６８が分岐レール７６ａ、７６ｂ、７６ｃに案内されて第１の分岐用ガイドレール７６と第２の分岐用ガイドレール７８との交差部に到達する。そして、ベーン７０が交差用ベーンガイド８２のガイド溝８２ａ、８２ｂ、８２ｃ内に入り込む。このガイド溝８２ａ〜８２ｃは、ベーン７０の幅Ｗ１より僅かに広く形成され、かつベーン７０の長さＷ２より狭く形成されているので、ベーン７０は交差点で進行方向にのみ移動して、シュー３６のベアリング６８が合流手段５４側まで移動する。
【００２２】・・・。これにより、３個のシュー３６が第１の分岐用ガイドレール７６に沿って同時に移動するので、図１に示すように、３個のシュー３６により物品３３を右側のシュート９４に仕分けることができる。・・・。
【００２３】なお、仕分部３８の切換手段５０及び合流手段５４は、分岐用クロスガイドレール部５２の第１の分岐用ガイドレール７６側に配設したものを説明したが、切換手段５０及び合流手段５４は分岐用クロスガイドレール部５２の第２の分岐用ガイドレール７８側にも同様に設けられている。そして、分岐用クロスガイドレール部５２の第２の分岐用ガイドレール７８に沿って３個のシュー３６を同時に移動すると、３個のシュー３６により物品を左側のシュート９６（図１参照）に仕分けることができる。」（第４頁５欄３２行〜同頁６欄３３行）
　
オ．「【００２４】前記実施形態では切換手段５０の３個の揺動レール５６を同時に作動して、３個のシュー３６を同時に物品の押出し方向に移動する場合について説明した、これに限らず、２個又は４個以上の揺動レール５６を作動するようにして、２個又は４個以上のシュー３６を物品の押出し方向に移動することも可能である。また、各シューを仕分けのために移動するタイミングを同時としているが、若干ずらして物品の方向を制御することもできる。また、第１、第２の分岐用ガイドレール７６、７８は、それぞれ３本の分岐レールを備えた場合について説明したが、これに限らず、３本以外の複数本の分岐レールを備えるようにしてもよい。」（第４頁６欄３４行〜同４５行）
　
カ．「【発明の効果】以上の説明から明らかなように、本発明による仕分装置によれば、第１の分岐用ガイドレールと第２の分岐用ガイドレールを交差するように設けた。第１の分岐用ガイドレールは、複数のシューを各スラットの長手方向に一端から他端まで同時に移動する。これにより、複数のシューで物品を同時に押圧してスラットの他端側のシュートに仕分ける。一方、第２の分岐用ガイドレールは、複数のシューを各スラットの長手方向に他端から一端まで同時に移動する。これにより、複数のシューで物品を同時に押圧してスラットの一端側のシューに仕分ける。したがって、物品をスラットの両側のシューに選択的に仕分けることができるので、高能力化や仕分先の多様化に対応することができる。」（第４頁６欄４７行〜第５頁７欄９行）
　
キ．「図１０に示すように、この仕分装置１０は複数本（３本）の分岐用ガイドレール１２を１組として複数組をシュート２０の位置に対応した所定間隔をおいて備え、１組の分岐用ガイドレール１２で３個のシュー１４をスラット１６に沿って同時に移動する。これにより、３個のシュー１４で物品１８を同時に押し出して、物品１８を回動させずにシュート２０に仕分けることができる。」（第２頁２欄４行〜同１１行、図１０）
　
　前記記載事項ア．〜カ．によると、引用例１には、
「物品３３を載置して搬送方向に移動する連結された多数のスラット３２に、それとともに移動する多数のシュー３６を搬送方向に並べて、かつ、前記スラット３２の横幅方向への各別の横移動が自在に装備し、
　前記スラット３２の移動による物品搬送に伴い、搬送物品３３毎に、多数の前記シュー３６のうち同一の搬送物品３３に対応位置する複数個のものを選択して、それら選択した複数個のシュー３６を、それらが搬送方向に直線状に並ぶ相対位置を保った状態で前記スラット３２の横幅方向へ横移動させることにより、搬送物品３３を所要の搬送位置で前記スラット３２からその搬送方向とは直行する横方向へ送り出す切換手段５０、分岐用クロスガイドレール部５２を設けてある仕分装置３０であって、
　前記シュー３６を１列状態で搬送方向に並べて前記スラット３２に装備し、
　前記切換手段５０、分岐用クロスガイドレール部５２を、搬送物品３３毎に、
　同一の搬送物品３３に対応位置する複数個の前記シュー３６を前記スラット３２の横幅方向における一端部から他端部へ横移動させて、搬送物品３３を前記スラット３２の横幅方向における他端側へ送り出す他端側送出操作と、
　逆に同一の搬送物品３３に対応位置する複数個の前記シュー３６を前記スラット３２の横幅方向における他端部から一端部へ横移動させて、搬送物品３３を前記スラット３２の横幅方向における一端側へ送り出す一端側送出操作とを選択的に行う構成にし、
　前記切換手段５０、分岐用クロスガイドレール部５２を、前記スラット３２の移動経路途中に設けた第１の分岐用ガイドレール７６、第２の分岐用ガイドレール７８による案内で前記シュー３６をその搬送方向への移動に伴い前記スラット３２の横幅方向へ横移動させる構成にし、
　前記一端側送出操作により前記スラット３２から送り出される物品３３を受け取る一端側のシュート９６と、前記他端側送出操作により前記スラット３２から送り出される物品３３を受け取る他端側のシュート９４とを、前記スラット３２の物品搬送方向で同一位置に配置してある仕分装置３０。」
の発明（以下、「引用例１記載の発明」という。）が記載されていると認められる。
　
（２）引用例２
　原査定の拒絶の理由に引用された特開平９−３０６０５号公報（以下、「引用例２」という。）には、図面とともに、次の事項が記載されている。
　
ク．「【００２１】ラック式自動倉庫Ｂは、図１（ｂ）に示すように、倉庫部１と、倉庫部１の出入り口部に配置した入出庫装置２とで構成し、・・・。
【００２３】図２中の符号で、４はラック式自動倉庫Ｂの倉庫部１内に構成した多段のラック棚構造、５は対向するラック棚構造４の列の間に配置したスタッカークレーン、６は各ラック棚構造４の列毎に端から倉庫部１の出入口の外へ１階高さ位置に設けた入出庫用コンベヤー、７は倉庫部１の出入口前に設けた入出庫装置２の無限軌道、８は無限軌道７上を走行するループ台車である。・・・。
【００２７】倉庫内１は、スタッカークレーン５と対向する両側のラック棚構造４列単位でａ区画からｆ区画に区分けし、・・・。
【００２８】図３及び図４はそれぞれ図２のＩＩＩ−ＩＩＩ矢視及びＩＶ−ＩＶ矢視の縦断面図であり、図中の符号２４はループ台車８から入出庫用コンベヤー６を通り、スタッカークレーン５へ渡されて倉庫部１のラック棚構造４内に籾を収容して保管される通気性のパレット積み容器である。」（第３頁３欄４７行〜同頁４欄４１行）
　
ケ．「【００４０】更に、入荷用コンベヤー１２の端部でパレット積み容器２４がラック式自動倉庫Ｂのループ台車８に渡され、ループ台車８が走行して、指定の入出庫用コンベヤー６前で停止し、パレット積み容器２４を入出庫用コンベヤー６上へ送り出す。
【００４１】パレット積み容器２４は、入出庫用コンベヤー６の奥部へ移動し、この位置でスタッカークレーン５がパレット積み容器２４を取り上げ、指定番地のラック棚４ａ位置へ移動して格納することにより、保管貯蔵される。」（第４頁６欄９〜１８行）
　
　前記記載事項ク．、ケ．によると、引用例２には、
「入出庫装置２を用いたラック式自動倉庫Ｂであって、
　平行姿勢で対向させた２つのラック棚構造４どうしの間にそれらラック棚構造４に対するスタッカークレーン５の移動経路を設けた棚組を、ループ台車８の一横側で前記ループ台車８のパレット積み容器２４搬送方向に並設し、
　前記棚組の各々と前記ループ台車８との間の夫々に、前記ループ台車８から送り出されるパレット積み容器２４を受け取って、その受け取りパレット積み容器２４を対応する棚組の前記スタッカークレーン５に受け渡す入出庫用コンベヤー６を配置してあるラック式自動倉庫Ｂ。」
の発明（以下、「引用例２記載の発明」という）が記載されていると認められる。
　
３．対比
　本願発明１と引用例１記載の発明を対比すると、引用例１記載の発明の「連結された多数のスラット３２」は、その技術的意義からみて、本願発明１の「搬送帯」に相当し、以下同様に、「シュー３６」は「物品送出具」に、「切換手段５０、分岐用クロスガイドレール部５２」は「送出操作手段」に、「仕分装置３０」は「搬送装置」に、「選択的に行う」は「択一的に行う」に、「第１の分岐用ガイドレール７６、第２の分岐用ガイドレール７８」は「ガイド」に、「シュート９６、シュート９４」は「物品受取手段」に、それぞれ、相当する。
　
　してみると、本願発明１と引用例１記載の発明は、
「物品を載置して搬送方向に移動する搬送帯に、それとともに移動する多数の物品送出具を搬送方向に並べて、かつ、前記搬送帯の横幅方向への各別の横移動が自在に装備し、
　前記搬送帯の移動による物品搬送に伴い、搬送物品毎に、多数の前記物品送出具のうち同一の搬送物品に対応位置する複数個のものを選択して、それら選択した複数個の物品送出具を、それらが搬送方向に直線状に並ぶ相対位置を保った状態で前記搬送帯の横幅方向へ横移動させることにより、搬送物品を所要の搬送位置で前記搬送帯からその搬送方向とは直行する横方向へ送り出す送出操作手段を設けてある搬送装置であって、
　前記物品送出具を１列状態で搬送方向に並べて前記搬送帯に装備し、
　前記送出操作手段を、搬送物品毎に、
　同一の搬送物品に対応位置する複数個の前記物品送出具を前記搬送帯の横幅方向における一端部から他端部へ横移動させて、搬送物品を前記搬送帯の横幅方向における他端側へ送り出す他端側送出操作と、
　逆に同一の搬送物品に対応位置する複数個の前記物品送出具を前記搬送帯の横幅方向における他端部から一端部へ横移動させて、搬送物品を前記搬送帯の横幅方向における一端側へ送り出す一端側送出操作とを択一的に行う構成にし、
　前記送出操作手段を、前記搬送帯の移動経路途中に設けたガイドによる案内で前記物品送出具をその搬送方向への移動に伴い前記搬送帯の横幅方向へ横移動させる構成にし、
　前記一端側送出操作により前記搬送帯から送り出される物品を受け取る一端側の物品受取手段と、前記他端側送出操作により前記搬送帯から送り出される物品を受け取る他端側の物品受取手段とを配置してある搬送装置。」
の点で一致し、次の点で相違する。
　
［相違点］
　本願発明１は、搬送装置を用いた自動倉庫であって、一端側の物品受取手段と他端側の物品受取手段とを、搬送帯の物品搬送方向で互いに位置をズラせて配置してあり、平行姿勢で対向させた２つの物品収納棚どうしの間にそれら物品収納棚に対する物品移載装置の移動経路を設けた棚組を、前記搬送帯の両横側夫々で前記搬送帯の物品搬送方向に並設し、前記棚組の各々と前記搬送帯との間の夫々に、一端側送出操作又は他端側送出操作により前記搬送帯から送り出される物品を受け取って、その受け取り物品を対応する棚組の前記物品移載装置に受け渡す物品受取手段を配置してあるのに対し、引用例１記載の発明は、搬送装置であって、一端側の物品受取手段と他端側の物品受取手段とを、搬送帯の物品搬送方向で同一位置に配置してある点。
　
４．当審の判断
　前記［相違点］について検討する。
　本願発明１と引用例２記載の発明を対比すると、引用例２記載の発明の「ラック式自動倉庫Ｂ」は、その技術的意義からみて、本願発明１の「自動倉庫」に相当し、以下同様に、「ラック棚構造４」は「物品収納棚」に、「スタッカークレーン５」は「物品移載装置」に、「パレット積み容器２４」は「物品」に、「入出庫用コンベヤー６」は「物品受取手段」に、それぞれ、相当する。また、引用例２記載の発明の「ループ台車８」は、入出庫装置の限りにおいて、本願発明１の「搬送装置」に相当する。
　したがって、引用例２記載の発明には、入出庫装置を用いた自動倉庫であって、「平行姿勢で対向させた２つの物品収納棚どうしの間にそれら物品収納棚に対する物品移載装置の移動経路を設けた棚組を、入出庫装置の
一横側
　一方、引用例１記載の発明の搬送装置は、一端側送出操作又は他端側送出操作により搬送帯から送り出される物品を、搬送帯の物品搬送方向
両横側
　しかも、自動倉庫において、平行姿勢で対向させた２つの物品収納棚どうしの間にそれら物品収納棚に対する物品移載装置の移動経路を設けた棚組を、一般的搬送装置の
両横側夫々
　また、搬送装置において、一端側送出操作により搬送帯から送り出される物品を受け取る一端側の物品受取手段と、他端側送出操作により搬送帯から送り出される物品を受け取る他端側の物品受取手段とを、前記搬送帯の物品搬送方向で
互いに位置をズラせて
　そうすると、引用例１記載の発明において、引用例２記載の発明の前記の点を適用し、当該適用に際し前記周知技術や前記記載事項２．（１）キ．を勘案して、前記［相違点］に係る本願発明１のような構成とすることは、当業者が格別困難なく想到し得るものと認められる。
　
　また、本願発明１の効果についてみても、引用例１記載の発明、引用例２記載の発明、及び周知技術から当業者が予測し得る程度のものである。
　
５．むすび
　したがって、本願発明１は、引用例１記載の発明、引用例２記載の発明、及び周知技術に基づいて当業者が容易に発明をすることができたものであるから、特許法第２９条第２項の規定により特許を受けることができない。
　よって、結論のとおり審決する。